(57)【要約】【課題】鏡を安定的に載置することができる家庭用薄葉紙収納箱を提供する。【解決手段】内部に収納された複数のティシューペーパー１００の各々が上面に形成された取出口１１ａから引き出されるティシューペーパー収納箱１において、略直方体形状の収納箱本体部１１と、収納箱本体部１１の上面に設けられた蓋部１２と、を備え、収納箱本体部１１と蓋部１２との境界には、収納箱本体部１１の上面の長手方向に延在する第１破断用切目線Ｌ１１と、第１破断用切目線Ｌ１１の両端から各々収納箱本体部１１の上面の幅方向に延在する２本の第２破断用切目線Ｌ１２と、が設けられ、第１破断用切目線Ｌ１１及び第２破断用切目線Ｌ１２を破断して、蓋部１２を開けることによって、取出口１１ａが形成され、蓋部１２を上側に突出するよう山型に折ることによって、所定の大きさの鏡２００を立てておくことができる鏡置き部Ｐが形成されるように構成されている。【選択図】図３
2011073739.tif 000002
【特許請求の範囲】
【請求項１】
内部に収納された複数の家庭用薄葉紙の各々が上面に形成された取出口から引き出される家庭用薄葉紙収納箱において、
略直方体形状の収納箱本体部と、
前記収納箱本体部の上面に設けられた蓋部と、を備え、
前記収納箱本体部と前記蓋部との境界には、前記上面の長手方向に延在する第１破断用切目線と、前記第１破断用切目線の両端から各々前記上面の幅方向に延在する２本の第２破断用切目線と、が設けられ、
前記第１破断用切目線及び前記第２破断用切目線を破断して、前記蓋部を開けることによって、前記取出口が形成され、
前記蓋部を上側に突出するよう山型に折ることによって、所定の大きさの鏡を立てておくことができる鏡置き部が形成されるように構成されていることを特徴とする家庭用薄葉紙収納箱。
【請求項２】
請求項１に記載の家庭用薄葉紙収納箱において、
前記蓋部には、前記上面の長手方向に沿って形成された山折用の山折目線が設けられ、前記山折目線に沿って前記蓋部を上側に突出するよう山型に折ることによって、前記鏡置き部が形成されるように構成されていることを特徴とする家庭用薄葉紙収納箱。
【請求項３】
請求項２に記載の家庭用薄葉紙収納箱において、
前記蓋部は、前記上面の長手方向の長さが、固定端よりも、前記第１破断用切目線により形成される自由端の方が長くなるように構成されていることを特徴とする家庭用薄葉紙収納箱。
【請求項４】
請求項３に記載の家庭用薄葉紙収納箱において、
前記蓋部には、前記山折目線よりも前記自由端側に、前記上面の長手方向に沿って形成された谷折用の谷折目線が設けられていることを特徴とする家庭用薄葉紙収納箱。
【請求項５】
請求項１に記載の家庭用薄葉紙収納箱において、
前記蓋部には、前記上面の長手方向に沿って形成された谷折用の谷折目線が設けられ、前記谷折目線に沿って前記蓋部を上側に突出するよう山型に折ることによって、前記鏡置き部が形成されるように構成されていることを特徴とする家庭用薄葉紙収納箱。
【請求項６】
請求項５に記載の家庭用薄葉紙収納箱において、
前記蓋部には、前記谷折目線を分断する開口を形成するための第３破断用切目線が設けられ、前記第３破断用切目線を破断して前記蓋部に前記開口を形成することによって、第２の鏡置き部が形成されるように構成されていることを特徴とする家庭用薄葉紙収納箱。
【請求項７】
請求項５又は６に記載の家庭用薄葉紙収納箱おいて、
前記蓋部は、前記第１破断用切目線により形成される自由端に突出部を備えており、
前記収納箱本体部には、前記蓋部を上側に突出するよう山型に折った状態で前記突出部に対応する位置に、第４破断用切目線が設けられ、
前記第４破断用切目線を破断することによって形成されるスリットに、前記突出部を差し込むことができるよう構成されていることを特徴とする家庭用薄葉紙収納箱。
【発明の詳細な説明】
【技術分野】
【０００１】
本発明は、家庭用薄葉紙収納箱に関する。
【背景技術】
【０００２】
従来、家庭用薄葉紙の１つであるティシューペーパーを収納するティシューペーパー収納箱として、上面にティシューペーパーを取り出すための取出口が設けられているものが知られている（例えば、特許文献１及び２参照）。
【０００３】
ところで、ティシューペーパーは、化粧や化粧落とし、眉等の毛抜きなどの作業の際に使用されることがある。この場合、ティシューペーパーだけでなく、鏡も必要である。
【先行技術文献】
【特許文献】
【０００４】
【特許文献１】特開２００８−１６２６２３号公報
【特許文献２】特開２００８−１６２６２４号公報
【発明の概要】
【発明が解決しようとする課題】
【０００５】
しかしながら、鏡が手鏡等の自立できないものである場合、鏡を手で持つ必要があるため、手が塞がって、作業がやり難い。
また、鏡が手鏡等の自立できないものであっても、壁等に立て掛けて使用すれば両手を使うことができるが、この場合、鏡が倒れ易いという問題がある。
また、鏡を壁等に立て掛けて使用する場合、鏡の角度が調整し難く、鏡に映った顔等が見え難いという問題がある。
更に、上記課題に対してティシューペーパー収納箱の上面の一部を折り曲げて鏡置き部を形成することが考えられるが、そのような場合には、折り曲げの状態によって鏡がずれてしまうことが考えられる。
【０００６】
本発明の課題は、鏡を安定的に載置することができる家庭用薄葉紙収納箱を提供することにある。
【課題を解決するための手段】
【０００７】
上記課題を解決するために、請求項１に記載の発明は、
内部に収納された複数の家庭用薄葉紙の各々が上面に形成された取出口から引き出される家庭用薄葉紙収納箱において、
略直方体形状の収納箱本体部と、
前記収納箱本体部の上面に設けられた蓋部と、を備え、
前記収納箱本体部と前記蓋部との境界には、前記上面の長手方向に延在する第１破断用切目線と、前記第１破断用切目線の両端から各々前記上面の幅方向に延在する２本の第２破断用切目線と、が設けられ、
前記第１破断用切目線及び前記第２破断用切目線を破断して、前記蓋部を開けることによって、前記取出口が形成され、
前記蓋部を上側に突出するよう山型に折ることによって、所定の大きさの鏡を立てておくことができる鏡置き部が形成されるように構成されていることを特徴とする。
【０００８】
請求項２に記載の発明は、
請求項１に記載の家庭用薄葉紙収納箱において、
前記蓋部には、前記上面の長手方向に沿って形成された山折用の山折目線が設けられ、前記山折目線に沿って前記蓋部を上側に突出するよう山型に折ることによって、前記鏡置き部が形成されるように構成されていることを特徴とする。
【０００９】
請求項３に記載の発明は、
請求項２に記載の家庭用薄葉紙収納箱において、
前記蓋部は、前記上面の長手方向の長さが、固定端よりも、前記第１破断用切目線により形成される自由端の方が長くなるように構成されていることを特徴とする。
【００１０】
請求項４に記載の発明は、
請求項３に記載の家庭用薄葉紙収納箱において、
前記蓋部には、前記山折目線よりも前記自由端側に、前記上面の長手方向に沿って形成された谷折用の谷折目線が設けられていることを特徴とする。
【００１１】
請求項５に記載の発明は、
請求項１に記載の家庭用薄葉紙収納箱において、
前記蓋部には、前記上面の長手方向に沿って形成された谷折用の谷折目線が設けられ、前記谷折目線に沿って前記蓋部を上側に突出するよう山型に折ることによって、前記鏡置き部が形成されるように構成されていることを特徴とする。
【００１２】
請求項６に記載の発明は、
請求項５に記載の家庭用薄葉紙収納箱において、
前記蓋部には、前記谷折目線を分断する開口を形成するための第３破断用切目線が設けられ、前記第３破断用切目線を破断して前記蓋部に前記開口を形成することによって、第２の鏡置き部が形成されるように構成されていることを特徴とする。
【００１３】
請求項７に記載の発明は、
請求項５又は６に記載の家庭用薄葉紙収納箱において、
前記蓋部は、前記第１破断用切目線により形成される自由端に突出部を備えており、
前記収納箱本体部には、前記蓋部を上側に突出するよう山型に折った状態で前記突出部に対応する位置に、第４破断用切目線が設けられ、
前記第４破断用切目線を破断することによって形成されるスリットに、前記突出部を差し込むことができるよう構成されていることを特徴とする。
【発明の効果】
【００１４】
請求項１に記載の発明によれば、蓋部を上側に突出するよう山型に折ることによって、所定の大きさの鏡を立てておくことができる鏡置き部が形成されるように構成されている。したがって、山型に折られた蓋部に鏡を立て掛けることができるため、鏡を安定的に載置することができる。
【００１５】
請求項２に記載の発明によれば、請求項１に記載の発明と同様の効果が得られることは無論のこと、山折目線に沿って蓋部を上側に突出するよう山型に折ることによって、鏡置き部が形成されるように構成されているため、鏡を安定的に載置することができる。
また、山型に折られた蓋部により形成される傾斜面の傾斜角度を調節して、蓋部に立て掛けた鏡の角度を調節することができるため、鏡に映った顔等が見易くなって好適である。
【００１６】
請求項３に記載の発明によれば、請求項２に記載の発明と同様の効果が得られることは無論のこと、蓋部は、固定端よりも、第１破断用切目線により形成される自由端の方が長くなるように構成されている。したがって、蓋部を山型に折った際に、自由端が取出口内に落ちてしまうことがないため、収納箱本体部内部のティシューペーパーをスムーズに引き出すことができる。
【００１７】
請求項４に記載の発明によれば、請求項３に記載の発明と同様の効果が得られることは無論のこと、蓋部には、山折目線よりも自由端側に、谷折用の谷折目線が設けられている。したがって、谷折目線に沿って、蓋部における山折目線よりも自由端側の領域を折ることができるため、蓋部を山型に折った状態をより安定的に維持することができる。
【００１８】
請求項５に記載の発明によれば、請求項１に記載の発明と同様の効果が得られることは無論のこと、谷折目線に沿って蓋部を上側に突出するよう山型に折ることによって、鏡置き部が形成されるように構成されているため、鏡を安定的に載置することができる。
【００１９】
請求項６に記載の発明によれば、請求項５に記載の発明と同様の効果が得られることは無論のこと、第３破断用切目線を破断して蓋部に開口を形成することによって、第２の鏡置き部が形成されるように構成されている。したがって、山型に折られた蓋部の頂上に形成された開口内に鏡を挿し入れることができるため、鏡を安定的に載置することができる。
【００２０】
請求項７に記載の発明によれば、請求項５又は６に記載の発明と同様の効果が得られることは無論のこと、第４破断用切目線を破断することによって形成されるスリットに、蓋部の自由端に備えられた突出部を差し込むことができるよう構成されている。したがって、収納箱本体部に形成されたスリットに、蓋部が備える突出部を差し込むことで、蓋部の自由端を収納箱本体部に係止できるため、蓋部を山型に折った状態をより安定的に維持することができる。
【図面の簡単な説明】
【００２１】
【図１】第１の実施の形態のティシューペーパー収納箱の一例を示す平面斜視図である。
【図２】第１の実施の形態のティシューペーパー収納箱において、鏡置き部が形成された状態の一例を示す平面斜視図である。
【図３】第１の実施の形態のティシューペーパー収納箱に形成された鏡置き部に鏡を立て掛けた状態の一例を示す平面斜視図である。
【図４】第２の実施の形態のティシューペーパー収納箱の一例を示す平面斜視図である。
【図５】第２の実施の形態のティシューペーパー収納箱において、鏡置き部が形成された状態の一例を示す平面斜視図である。
【図６】第２の実施の形態のティシューペーパー収納箱に形成された鏡置き部に鏡を立て掛けた状態の一例を示す平面斜視図である。
【図７】第２の実施の形態のティシューペーパー収納箱に形成された鏡置き部に鏡を挿し入れた状態の一例を示す平面斜視図である。
【発明を実施するための形態】
【００２２】
以下、図を参照して、本発明の実施の形態を詳細に説明する。ただし、発明の範囲は、図示例に限定されない。
本実施形態では、家庭用薄葉紙としてティシューペーパーを例示して、家庭用薄葉紙収納箱としてティシューペーパー収納箱を例示して、説明することとする。
なお、以下の説明では、ティシューペーパー収納箱の長手方向を左右方向とし、幅方向を前後方向とし、左右方向及び前後方向の双方に直交する方向を上下方向とする。
【００２３】
［第１の実施の形態］
まず、第１の実施の形態におけるティシューペーパー収納箱１（以下、「収納箱１」という）について説明する。
【００２４】
収納箱１は、略直方体状に形成されており、収納箱１の内部には、積層された複数のティシューペーパー１００が収納されている。収納箱１の上面には取出口１１ａが形成されるようになっており、取出口１１ａを通して内部のティシューペーパー１００を引き出すことができるようになっている。
【００２５】
具体的には、収納箱１は、例えば、図１に示すように、略直方体形状の収納箱本体部１１と、収納箱本体部１１の上面に設けられた蓋部１２と、を備えて構成される。
そして、収納箱１は、例えば、図２及び図３に示すように、蓋部１２を上側に突出するよう山型に折ることによって、所定の大きさの鏡２００を立てておくことができる鏡置き部Ｐが形成されるように構成されている。
【００２６】
より具体的には、例えば、図１に示すように、収納箱本体部１１と蓋部１２との境界には、収納箱本体部１１の上面の長手方向（左右方向）に延在する第１破断用切目線Ｌ１１と、第１破断用切目線Ｌ１１の両端から、各々前方向に向かって収納箱本体部１１の上面の幅方向（前後方向）に延在する２本の第２破断用切目線Ｌ１２と、一方の第２破断用切目線Ｌ１２の先端（前端）と他方の第２破断用切目線Ｌ１２の先端（前端）とを結ぶように左右方向に延在する谷折用の谷折目線Ｖ１１と、が設けられている。
そして、例えば、図２に示すように、第１破断用切目線Ｌ１１及び第２破断用切目線Ｌ１２を破断して、蓋部１２を開けることによって、取出口１１ａが形成されるようになっている。
また、谷折目線Ｖ１１に沿って、蓋部１２を収納箱本体部１１に対して折ることによって、蓋部１２を開けた状態を維持できるようになっている。
【００２７】
蓋部１２には、例えば、図１に示すように、当該蓋部１２の前後方向略中央の位置に、左右方向に沿って形成された山折用の山折目線Ｍ１１が設けられており、例えば、図２に示すように、山折目線Ｍ１１に沿って蓋部１２を上側に突出するよう山型に折ることができるようになっている。
この山型に折られた蓋部１２により形成される傾斜面（当該蓋部１２における、山折目線Ｍ１１よりも自由端１２ｂ側の領域）が鏡置き部Ｐになり、当該傾斜面に鏡２００を立て掛けることができるようになっている。
【００２８】
ここで、蓋部１２は、左右方向の長さが、固定端１２ａよりも、第１破断用切目線Ｌ１１により形成される自由端１２ｂの方が長くなるように構成されている。
具体的には、例えば、蓋部１２における、山折目線Ｍ１１よりも固定端１２ａ側の領域は、左右方向の長さが、山折目線Ｍ１１からの距離に関わらず一体であるのに対し、蓋部１２における、山折目線Ｍ１１よりも自由端１２ｂ側の領域は、左右方向の長さが、山折目線Ｍ１１から遠ざかるにつれて長くなるように設定されている。
これにより、蓋部１２を山型に折った際に、自由端１２ｂが、収納箱本体部１１に支持されて、取出口１１ａ内に落ちてしまうことがないため、収納箱本体部１１内部のティシューペーパー１００をスムーズに引き出すことができる。
【００２９】
また、蓋部１２には、山折目線Ｍ１１よりも自由端１２ｂ側（後端側）に、左右方向に沿って形成された谷折用の谷折目線Ｖ１２が設けられている。
これにより、谷折目線Ｖ１２に沿って、蓋部１２における山折目線Ｍ１１よりも自由端１２ｂ側の領域を折ることができるため、蓋部１２を山型に折った状態をより安定的に維持することができる。
【００３０】
次に、収納箱１における鏡置き部Ｐの形成方法について説明する。
まず、第１破断用切目線Ｌ１１及び第２破断用切目線Ｌ１２を破断する。
次いで、例えば、図２に示すように、蓋部１２を、谷折目線Ｖ１１，Ｖ１２に沿って谷折りに折るとともに、山折目線Ｍ１１に沿って山折りに折って、蓋部１２を上側に突出する山型に形成する。
これにより、ティシューペーパー１００を引き出すための取出口１１ａが形成されるとともに、図３に示すように、山型に折られた蓋部１２により形成される傾斜面によって鏡置き部Ｐが形成され、この鏡置き部Ｐに鏡２００を安定的に立て掛けることができる。
【００３１】
以上説明した第１の実施の形態における収納箱１によれば、内部に収納された複数のティシューペーパー１００の各々を上面に形成された取出口１１ａから引き出すことができ、略直方体形状の収納箱本体部１１と、収納箱本体部１１の上面に設けられた蓋部１２と、を備えている。そして、収納箱本体部１１と蓋部１２との境界には、収納箱本体部１１の上面の長手方向（左右方向）に延在する第１破断用切目線Ｌ１１と、第１破断用切目線Ｌ１２の両端から各々収納箱本体部１１の上面の幅方向（前後方向）に延在する２本の第２破断用切目線Ｌ１２と、が設けられ、第１破断用切目線Ｌ１１及び第２破断用切目線Ｌ１２を破断して、蓋部１２を開けることによって、取出口１１ａが形成され、蓋部１２を上側に突出するよう山型に折ることによって、所定の大きさの鏡２００を立てておくことができる鏡置き部Ｐが形成されるように構成されている。
具体的には、蓋部１２には、左右方向に沿って形成された山折用の山折目線Ｍ１１が設けられ、山折目線Ｍ１１に沿って蓋部１２を上側に突出するよう山型に折ることによって、鏡置き部Ｐが形成されるように構成されている。
したがって、山型に折られた蓋部１２に鏡２００を立て掛けることができるため、鏡２００を安定的に載置することができる。
また、山型に折られた蓋部１２により形成される傾斜面の傾斜角度を調節して、蓋部１２に立て掛けた鏡２００の角度を調節することができるため、鏡２００に映った顔等が見易くなって好適である。
【００３２】
また、以上説明した第１の実施の形態における収納箱１によれば、蓋部１２は、左右方向の長さが、固定端１２ａよりも、第１破断用切目線Ｌ１１により形成される自由端１２ｂの方が長くなるように構成されている。
したがって、蓋部１２を山型に折った際に、自由端１２ｂが、収納箱本体部１１に支持されて、取出口１１ａ内に落ちてしまうことがないため、収納箱本体部１１内部のティシューペーパー１００をスムーズに引き出すことができる。
【００３３】
また、以上説明した第１の実施の形態における収納箱１によれば、蓋部１２には、山折目線Ｍ１１よりも自由端１２ｂ側に、左右方向に沿って形成された谷折用の谷折目線Ｖ１２が設けられている。
したがって、谷折目線Ｖ１２に沿って、蓋部１２における山折目線Ｍ１１よりも自由端１２ｂ側の領域を折ることができるため、蓋部１２を山型に折った状態をより安定的に維持することができる。
【００３４】
［第２の実施の形態］
次に、第２の実施の形態におけるティシューペーパー収納箱２（以下、「収納箱２」という）について説明する。
【００３５】
収納箱２は、略直方体状に形成されており、収納箱２の内部には、積層された複数のティシューペーパー（図示省略）が収納されている。収納箱２の内側の面には、収納箱２の上面に形成される取出口２１ａを被覆するように、スリット２３ａを有するフィルム２３が貼着されており、スリット２３ａを通して内部のティシューペーパーを引き出すことができるようになっている。
【００３６】
具体的には、収納箱２は、例えば、図４に示すように、略直方体形状の収納箱本体部２１と、収納箱本体部２１の上面に設けられた蓋部２２と、を備えて構成される。
そして、収納箱２は、例えば、図５〜図７に示すように、蓋部２２を上側に突出するよう山型に折ることによって、所定の大きさの鏡２００を立てておくことができる鏡置き部Ｐが形成されるように構成されている。
【００３７】
より具体的には、例えば、図４に示すように、収納箱本体部２１と蓋部２２との境界には、収納箱本体部２１の上面の長手方向（左右方向）に延在する第１破断用切目線Ｌ２１と、第１破断用切目線Ｌ２１の両端から、各々前方向に向かって収納箱本体部２１の上面の幅方向（前後方向）に延在する２本の第２破断用切目線Ｌ２２と、一方の第２破断用切目線Ｌ２２の先端（前端）と他方の第２破断用切目線Ｌ２２の先端（前端）とを結ぶように左右方向に延在する谷折用の谷折目線Ｖ２１と、が設けられている。
そして、例えば、図５に示すように、第１破断用切目線Ｌ２１及び第２破断用切目線Ｌ２２を破断して、蓋部２２を開けることによって、取出口２１ａが形成されるようになっている。
また、谷折目線Ｖ２１に沿って、蓋部２２を収納箱本体部２１に対して折ることによって、蓋部２２を開けた状態を維持できるようになっている。
【００３８】
蓋部２２には、例えば、図４に示すように、当該蓋部２２の前後方向略中央の位置に、左右方向に沿って形成された谷折用の谷折目線Ｖ２２が３本設けられており、例えば、図５に示すように、各谷折目線Ｖ２２に沿って蓋部２２を上側に突出するよう山型に折ることができるようになっている。
この山型に折られた蓋部２２により形成される傾斜面（当該蓋部２２における、谷折目線Ｖ２２よりも固定端２２ａ側の領域）が鏡置き部Ｐになり、当該傾斜面に鏡２００を立て掛けることができるようになっている。
【００３９】
さらに、蓋部２２には、例えば、図４に示すように、当該蓋部２２の前後方向略中央の位置に、各谷折目線Ｖ２２を分断する開口を形成するための第３破断用切目線Ｌ２３が設けられており、例えば、図５に示すように、第３破断用切目線Ｌ２３を破断することによって、蓋部２２に開口が形成されるようになっている。
この形成された開口も鏡置き部（第２の鏡置き部Ｑ）になり、当該開口内に鏡２００を挿し入れることができるようになっている。
【００４０】
ここで、蓋部２２は、第１破断用切目線Ｌ１２により形成される自由端２２ｂに、後方向に突出する３つの突出部２２ｃを備えており、収納箱本体部２１には、蓋部２２を上側に突出するよう山型に折った状態で各突出部２２ｃに対応する位置に、３本の第４破断用切目線Ｌ２４が設けられている。すなわち、各第４破断用切目線Ｌ２３を破断することによって収納箱本体部２１に形成される３本のスリット２１ｂに、各突出部２２ｃをそれぞれ差し込むことができるよう構成されている。
これにより、収納箱本体部２１に形成されたスリット２１ｂに、蓋部２２が備える突出部２２ｃを差し込むことで、蓋部２２の自由端２２ｂを収納箱本体部２１に係止できるため、蓋部２２を山型に折った状態をより安定的に維持することができる。
【００４１】
次に、収納箱２における鏡置き部Ｐ及び第２の鏡置き部Ｑの形成方法について説明する。
まず、第１破断用切目線Ｌ２１、第２破断用切目線Ｌ２２、第３破断用切目線Ｌ２３及び第４破断用切目線Ｌ２４を破断する。
次いで、例えば、図５に示すように、蓋部２２を、谷折目線Ｖ２１，Ｖ２２に沿って谷折りに折って、蓋部２２を上側に突出する山型に形成する。
次いで、例えば、図５に示すように、第１破断用切目線Ｌ２１を破断することにより形成された突出部２２ｃを、第４破断用切目線Ｌ２４を破断することにより形成されたスリット２１ｂに差し込む。
これにより、ティシューペーパーを引き出すための取出口２１ａが形成されるとともに、図６に示すように、山型に折られた蓋部２２により形成される傾斜面によって鏡置き部Ｐが形成され、この鏡置き部Ｐに鏡２００を安定的に立て掛けることができる。また、図７に示すように、第３破断用切目線Ｌ２３を破断することにより蓋部２２に形成された開口によって第２の鏡置き部Ｑが形成され、この第２の鏡置き部Ｑに鏡２００を安定的に挿し入れることができる。
【００４２】
以上説明した第２の実施の形態における収納箱２によれば、内部に収納された複数のティシューペーパーの各々を上面に形成された取出口２１ａから引き出すことができ、略直方体形状の収納箱本体部２１と、収納箱本体部２１の上面に設けられた蓋部２２と、を備えている。そして、収納箱本体部２１と蓋部２２との境界には、収納箱本体部２１の上面の長手方向（左右方向）に延在する第１破断用切目線Ｌ２１と、第１破断用切目線Ｌ２１の両端から各々収納箱本体部２１の上面の幅方向（前後方向）に延在する２本の第２破断用切目線Ｌ２２と、が設けられ、第１破断用切目線Ｌ２１及び第２破断用切目線Ｌ２２を破断して、蓋部２２を開けることによって、取出口２１ａが形成され、蓋部２２を上側に突出するよう山型に折ることによって、所定の大きさの鏡２００を立てておくことができる鏡置き部Ｐが形成されるように構成されている。
具体的には、蓋部２２には、左右方向に沿って形成された谷折用の谷折目線Ｖ２２が設けられ、谷折目線Ｖ２２に沿って蓋部２２を上側に突出するよう山型に折ることによって、鏡置き部Ｐが形成されるように構成されている。
したがって、山型に折られた蓋部２２に鏡２００を立て掛けることができるため、鏡２００を安定的に載置することができる。
【００４３】
また、以上説明した第２の実施の形態における収納箱２によれば、蓋部２２には、谷折目線Ｖ２２を分断する開口を形成するための第３破断用切目線Ｌ２３が設けられ、第３破断用切目線Ｌ２３を破断して蓋部２２に開口を形成することによって、第２の鏡置き部Ｑが形成されるように構成されている。
したがって、山型に折られた蓋部２２の頂上に形成された開口内に鏡２００を挿し入れることができるため、鏡２００を安定的に載置することができる。
【００４４】
また、以上説明した第２の実施の形態における収納箱２によれば、谷折目線Ｖ２２が複数本備えられているため、蓋部２２の頂上をなだらかに形成することができる。
したがって、第３破断用切目線Ｌ２３を破断することにより蓋部２２に形成された開口の幅が大きくなるため、当該開口内に鏡２００を挿し入れ易く、好適である。
また、谷折目線Ｖ２２が複数本備えられており、各谷折目線Ｖ２２それぞれでの谷折り角度によって、山型に折られた蓋部２２により形成される傾斜面の傾斜角度を調整して、蓋部２２に立て掛けた鏡２００の角度を調節することができるため、鏡２００に映った顔等が見易くなって好適である。
【００４５】
また、以上説明した第２の実施の形態における収納箱２によれば、蓋部２２は、第１破断用切目線Ｌ２１により形成される自由端２２ｂに突出部２２ｃを備えており、収納箱本体部２１には、蓋部２２を上側に突出するよう山型に折った状態で突出部２２ｃに対応する位置に、第４破断用切目線Ｌ２４が設けられ、第４破断用切目線Ｌ２４を破断することによって収納箱本体部２１に形成されるスリット２１ｂに、突出部２２ｃを差し込むことができるよう構成されている。
したがって、収納箱本体部２１に形成されたスリット２１ｂに、蓋部２２が備える突出部２２ｃを差し込むことで、蓋部２２の自由端２２ｂを収納箱本体部２１に係止できるため、蓋部２２を山型に折った状態をより安定的に維持することができる。
【００４６】
なお、本発明は、上記した実施の形態のものに限るものではなく、その要旨を逸脱しない範囲で適宜変更可能である。
【００４７】
第１の実施の形態において、収納箱１には、例えば、第２の実施の形態の収納箱２のように、スリットを有するフィルムが、取出口１１ａを被覆するように貼着されていても良い。
また、第１の実施の形態において、山折目線Ｍ１１は、例えば、第２の実施の形態の谷折目線Ｖ２２のように、複数本備えられていても良い。
【００４８】
第２の実施の形態において、谷折目線Ｖ２２の本数は、３本に限ることはなく、１本であっても良いし、複数本であっても良い。
また、第２の実施の形態において、突出部２２ｃの個数は、３つに限ることはなく、１つであっても良いし、複数であっても良い。なお、第４破断用切目線Ｌ２４の個数及び配置位置は、突出部２２ｃの個数及び配置位置に合わせて適宜任意に変更可能である。
また、第２の実施の形態において、第３破断用切目線Ｌ２３の形状は、矩形状に限ることはなく、例えば、円形状（楕円形状等も含む）であっても良い。
【００４９】
本形態において、基材としては、例えば、一般的な紙、板紙や樹脂シート等を、特に限定なく用いることができる。基材としては、コート紙で形成する場合、その坪量は、通常５０〜６００ｇ／ｍ２、好ましくは３００〜６００ｇ／ｍ２である。なお、坪量が５０ｇ／ｍ２未満の場合、収納材としての外力による強度が維持できないという問題があり、６００ｇ／ｍ２を越えた場合、箱体にする時に折れにくいという問題がある。また、基材としては、ＪＩＳＰ８１１６−２０００に規定する引裂強度が、縦方向２５００〜２９００ｍＮ、横方向３０００〜３４００ｍＮの範囲であることが好ましい。
【符号の説明】
【００５０】
１，２  収納箱（ティシューペーパー収納箱（家庭用薄葉紙収納箱））
１１，２１  収納箱本体部
１１ａ，２１ａ  取出口
２１ｂ  スリット
１２，２２  蓋部
１２ａ，２２ａ  固定端
１２ｂ，２２ｂ  自由端
２２ｃ  突出部
１００  ティシューペーパー（家庭用薄葉紙）
２００  鏡
Ｌ１１，Ｌ２１  第１破断用切目線
Ｌ１２，Ｌ２２  第２破断用切目線
Ｌ２３  第３破断用切目線
Ｌ２４  第４破断用切目線
Ｍ１１  山折目線
Ｐ  鏡置き部
Ｑ  第２の鏡置き部
Ｖ１２，Ｖ２２  谷折目線
【図１】
2011073739.tif 000003
【図２】
2011073739.tif 000004
【図３】
2011073739.tif 000005
【図４】
2011073739.tif 000006
【図５】
2011073739.tif 000007
【図６】
2011073739.tif 000008
【図７】
2011073739.tif 000009